(57)【要約】      （修正有）【課題】台座貫通穴とシリンダ錠との偏芯により形成された歪な環状隙間を塞ぐことができる錠台座穴の隙間隠し構造の提供。【解決手段】扉１１内に設けられた錠箱２１に基端が固定され先端が扉面１１ａから突出した筒状のシリンダ錠１７と、ハンドルを可動自在に支持するとともにシリンダ錠１７を貫通させて扉面１１ａに取付け固定される台座２７とを備えた錠台座穴の隙間隠し構造であって、シリンダ錠１７を貫通させる台座２７の貫通穴は、台座表面側の小径穴４３ａと台座２７裏面側の大径穴４３ｂとが同軸に形成されてなり、筒状に形成されて内径部がシリンダ錠１７の外周に嵌合されるとともに、外径部が小径穴４３ａより大きく且つ大径穴４３ｂより小さいコア部材４５を、大径穴４３ｂ内に収容し、端面６３が隙間に位置するよう構成した。【選択図】図３
2008019613.tif 000002
【特許請求の範囲】
【請求項１】
扉内に設けられた錠箱に基端が固定され先端が扉面から突出した筒状のシリンダ錠と、前記扉の開閉操作に用いる操作部材を可動自在に支持するとともに前記シリンダ錠を貫通させて前記扉面に取付け固定される台座とを備えた錠台座穴の隙間隠し構造であって、
前記シリンダ錠を貫通させる前記台座の貫通穴は、台座表面側の小径穴と台座裏面側の大径穴とが同軸に形成され、該貫通穴の軸線方向中途に、該貫通穴の軸線に略直交する面となるリング状の段部が形成され、
筒状に形成され、内径部が前記シリンダ錠の外周に嵌合されるとともに、外径部が前記小径穴より大きく且つ前記大径穴より小さいコア部材を、軸線方向一端の端面を前記段部に当接状態で前記大径穴内に収容したことを特徴とする錠台座穴の隙間隠し構造。
【請求項２】
前記扉の上下方向に一対の前記シリンダ錠が設けられ、
長尺に形成されたレバーハンドル状の前記操作部材の長手方向両端が一対の前記台座に可動自在に支持され、
一対の前記シリンダ錠のそれぞれを貫通させた該一対の台座のうち少なくとも一方の前記大径穴内に、前記コア部材が収容されたことを特徴とする請求項１記載の錠台座穴の隙間隠し構造。
【請求項３】
前記コア部材の直径方向両端となるそれぞれの外周部には、可撓性を有し前記コア部材の軸線を中心とした螺旋方向に延びる一対の弧状片が延出されたことを特徴とする請求項１又は２記載の錠台座穴の隙間隠し構造。
【請求項４】
前記大径穴内からの前記コア部材の脱落を規制する押さえ板が前記台座の裏面に取付け固定され、
前記一対の弧状片の先端が該押さえ板に係合することで前記コア部材が、前記弧状片を介して前記押さえ板に半径方向へ変位可能に支持されたことを特徴とする請求項３記載の錠台座穴の隙間隠し構造。
【請求項５】
前記コア部材の少なくとも前記端面が、少なくとも前記台座より彩度の低い色合いで形成されたことを特徴とする請求項１，２，３，４のいずれか１つに記載の錠台座穴の隙間隠し構造。
【発明の詳細な説明】
【技術分野】
【０００１】
本発明は、扉面から突出した筒状のシリンダ錠を貫通し鍵穴面を表出状態とし扉面に固定される台座の錠台座穴の隙間隠し構造に関する。
【背景技術】
【０００２】
住宅玄関扉等には、種々の施解錠装置が配設されるが、近年、美観、操作性、機能性等を兼ね備えたものとして、上下方向長尺に形成されたグリップハンドルの上下端を、台座を介して可動自在に扉表面に取り付けた所謂プッシュプル錠を採用することがある。このプッシュプル錠は、例えば外開きの玄関扉に取り付けられる場合、室内側に取り付けられるグリップハンドルは、扉を開放する際、台座に対しグリップハンドルが押し込み方向に僅かに可動することで、扉に内蔵された錠箱のラッチボルトを錠箱内へ後退させ、扉を開放可能にする。一方、屋外側に取り付けられるグリップハンドルは、扉を開放する際、台座に対しグリップハンドルが引っ張り方向に僅かに可動することで、扉に内蔵された錠箱のラッチボルトを錠箱内へ後退させ、扉を開放可能にする。すなわち、扉の開放方向と、ラッチボルトの後退操作方向とを一致させ、扉の良好な開放操作性を実現している。また、上下の台座には、それぞれシリンダ錠が内蔵され、すなわち１ドア２ロック構造を採用し、防犯性を向上させている。
【０００３】
ここで、ラッチボルトを内蔵する錠箱と、グリップハンドルと一体に組み立てられた台座とは、それぞれ別途に扉に取付け固定される。錠箱には本締め時に使用されるデッドボルトが内蔵され、デッドボルトは錠箱に基端が固定されたシリンダ錠によって進退操作（施解錠操作）される。したがって、扉の室内側に設けられるグリップハンドルの台座には、扉面から突出したシリンダ錠を挿入するための貫通穴が設けられている。これにより、扉の屋外側に台座を取付け固定したときには、台座の貫通穴にシリンダ錠を挿入することで、台座とシリンダ錠とが一体的に組み付けられ、見栄えの良い外観が得られるようになっていた。
【発明の開示】
【発明が解決しようとする課題】
【０００４】
しかしながら、従来のプッシュプル錠は、シリンダ錠の固定される錠箱と、グリップハンドルの台座とが、それぞれ別途に扉に対して取付け固定されていたため、それぞれの組み付け誤差等により、台座とシリンダ錠とに相対的な位置ずれが発生し易く、台座の貫通穴に対してシリンダ錠が偏芯し、貫通穴とシリンダ錠との間に歪な環状隙間の発生する場合があった。このような歪な環状隙間が発生すると、偏芯により円周の一部分で大きくなった間隙が形成され、内部が見えてしまうことでの見栄えの悪くなることがあり、また、均等な環状隙間では発生することのなかった隙間風がこの拡大された間隙を通過する虞があった。
【０００５】
本発明は上記状況に鑑みてなされたもので、台座貫通穴とシリンダ錠との偏芯により形成された歪な環状隙間を塞ぐことができる錠台座穴の隙間隠し構造を提供し、もって、見栄えの低下を抑え、偏芯により円周の一部分で大きくなった間隙を通過する隙間風の防止を図ることを目的とする。
【課題を解決するための手段】
【０００６】
次に、上記の課題を解決するための手段を、実施の形態に対応する図面を参照して説明する。
本発明の請求項１記載の錠台座穴の隙間隠し構造は、扉１１内に設けられた錠箱２１に基端が固定され先端が扉面１１ａから突出した筒状のシリンダ錠１７と、前記扉１１の開閉操作に用いる操作部材２３を可動自在に支持するとともに前記シリンダ錠１７を貫通させて前記扉面１１ａに取付け固定される台座２７とを備えた錠台座穴の隙間隠し構造であって、
前記シリンダ錠１７を貫通させる前記台座２７の貫通穴４３は、台座表面側の小径穴４３ａと台座裏面側の大径穴４３ｂとが同軸に形成され、該貫通穴４３の軸線方向中途に、該貫通穴４３の軸線に略直交する面となるリング状の段部４３ｃが形成され、
筒状に形成され、内径部４５ａが前記シリンダ錠１７の外周に嵌合されるとともに、外径部４５ｂが前記小径穴４３ａより大きく且つ前記大径穴４３ｂより小さいコア部材４５を、軸線方向一端の端面６３を前記段部４３ｃに当接状態で前記大径穴４３ｂ内に収容したことを特徴とする。
【０００７】
この錠台座穴の隙間隠し構造では、扉１１と錠箱２１、扉１１と台座２７との組み付け誤差等により、シリンダ錠１７と台座貫通穴４３との相対位置にずれが生じ、台座貫通穴４３にシリンダ錠１７が偏芯して配置されることで、貫通穴４３とシリンダ錠１７との間に歪な環状隙間が形成されても、シリンダ錠１７に外嵌されたコア部材４５の軸線方向一端の端面６３がこの歪な環状隙間を塞ぐこととなる。
【０００８】
請求項２記載の錠台座穴の隙間隠し構造は、前記扉１１の上下方向に一対の前記シリンダ錠１５，１７が設けられ、
長尺に形成されたレバーハンドル状の前記操作部材２３の長手方向両端が一対の前記台座２５，２７に可動自在に支持され、
一対の前記シリンダ錠１５，１７のそれぞれを貫通させた該一対の台座２５，２７のうち少なくとも一方２７の前記大径穴４３ｂ内に、前記コア部材４５が収容されたことを特徴とする。
【０００９】
この錠台座穴の隙間隠し構造では、一対のシリンダ錠１５，１７の双方に生じている貫通穴４３とシリンダ錠１５，１７との歪な環状隙間を、一方のシリンダ錠１７の側に片寄せて、当該一方のシリンダ錠１７外周に生じている歪な環状隙間を、コア部材４５によって塞ぐことができる。すなわち、他方のシリンダ錠１５と貫通穴４３とを同軸に配置することで、位置ずれ誤差を一方のシリンダ錠１７と貫通穴４３との位置ずれとして集中させることができる。そして、この集中した位置ずれ誤差がコア部材４５によって塞がれることとなる。
【００１０】
請求項３記載の錠台座穴の隙間隠し構造は、前記コア部材４５の直径方向両端となるそれぞれの外周部には、可撓性を有し前記コア部材４５の軸線を中心とした螺旋方向に延びる一対の弧状片４７，４７が延出されたことを特徴とする。
【００１１】
この錠台座穴の隙間隠し構造では、貫通穴４３の中心軸と、シリンダ錠１７の中心軸とが偏芯している場合においても、一対の弧状片４７，４７が弾性変形することとなる。したがって、シリンダ錠１７に外挿する前のコア部材４５を貫通穴４３と同軸に保持することができ、シリンダ錠１７に対する外挿前の大径穴４３ｂ内におけるコア部材４５のガタツキを防止できる。また、コア部材４５を台座２５側に組み付ける際に、ズレが生じ難く容易なものとなる。
【００１２】
請求項４記載の錠台座穴の隙間隠し構造は、前記大径穴４３ｂ内からの前記コア部材４５の脱落を規制する押さえ板４９が前記台座２７の裏面に取付け固定され、
前記一対の弧状片４７，４７の先端が該押さえ板４９に係合することで前記コア部材４５が、前記弧状片４７，４７を介して前記押さえ板４９に半径方向へ変位可能に支持されたことを特徴とする。
【００１３】
この錠台座穴の隙間隠し構造では、コア部材４５の回転が規制され、大径穴４３ｂにおいてコア部材４５にガタツキが生じ難くなる。また、弧状片４７，４７の先端を大径穴４３ｂの内周に当接して支持する場合に比べ、弧状片４７，４７の延出長が短くなる。
【００１４】
請求項５記載の錠台座穴の隙間隠し構造は、前記コア部材４５の少なくとも前記端面６３が、少なくとも前記台座２７より彩度の低い色合いで形成されたことを特徴とする。
【００１５】
この錠台座穴の隙間隠し構造では、コア部材４５の端面６３が、台座２７よりも彩度の低い色合い、例えばグレーなどで形成されるので、貫通穴４３とシリンダ錠１７との隙間に露出するコア部材４５が目立たなくなる。
【発明の効果】
【００１６】
本発明に係る請求項１記載の錠台座穴の隙間隠し構造によれば、扉の開閉操作に用いる操作部材を可動自在に支持するとともに扉面から突出したシリンダ錠を貫通させて扉面に取付け固定される台座を備え、シリンダ錠を貫通させる台座の貫通穴は、台座表面側の小径穴と台座裏面側の大径穴とが同軸に形成されてなり、筒状に形成されて内径部がシリンダ錠の外周に嵌合されるとともに、外径部が小径穴より大きく且つ大径穴より小さいコア部材を大径穴内に収容したので、扉と錠箱、扉と台座との組み付け誤差等により、シリンダ錠と台座貫通穴との相対位置にずれが生じ、台座貫通穴にシリンダ錠が偏芯して配置されることで、貫通穴とシリンダ錠との間に歪な環状隙間が形成されても、シリンダ錠に外嵌されるコア部材の軸線方向一端の端面がこの歪な環状隙間を塞ぐこととなる。これにより、台座貫通穴とシリンダ錠との隙間は見栄えを低下させることがなくなる。また、偏芯により円周の一部分で大きくなった間隙を通過する隙間風を確実に防止することができる。
【００１７】
請求項２記載の錠台座穴の隙間隠し構造によれば、扉の上下方向に一対のシリンダ錠が設けられ、長尺に形成された操作部材の長手方向両端が一対の台座に可動自在に支持され、一対のシリンダ錠のそれぞれを貫通させた一対の台座のうち少なくとも一方の大径穴内に、コア部材が収容されたので、一対のシリンダ錠の双方に生じている貫通穴とシリンダ錠との歪な環状隙間を、一方のシリンダ錠の側に片寄せて、当該一方のシリンダ錠外周に生じている歪な環状隙間を、コア部材によって塞ぐことができる。この結果、必要最小限の部材を用いて、見栄えを向上させ、隙間風を効率的に防止することができる。
【００１８】
請求項３記載の錠台座穴の隙間隠し構造によれば、コア部材の直径方向両端となるそれぞれの外周部には可撓性を有しコア部材の軸線を中心とした螺旋方向に延びる一対の弧状片が延出されたので、貫通穴の中心軸と、シリンダ錠の中心軸とが偏芯している場合においても、一対の弧状片が弾性変形することとなる。これにより、シリンダ錠に外挿する前のコア部材を貫通穴と同軸に保持することができ、外挿前の大径穴内でのコア部材のガタツキを防止して、台座の組み付け性を良好にすることができる。
【００１９】
請求項４記載の錠台座穴の隙間隠し構造によれば、大径穴内からのコア部材の脱落を規制する押さえ板が台座の裏面に取付け固定され、一対の弧状片の先端がこの押さえ板に係合することでコア部材が、弧状片を介して押さえ板に半径方向へ変位可能に支持されるので、コア部材の回転が規制され、ガタツキ等を防止することができる。また、弧状片の先端を大径穴の内周に当接して支持する場合に比べ、弧状片の延出長を短くでき、コア部材を小形に形成することができる。
【００２０】
請求項５記載の錠台座穴の隙間隠し構造によれば、コア部材の少なくとも端面が、少なくとも台座より彩度の低い色合いで形成されるので、貫通穴とシリンダ錠との隙間に露出するコア部材が、目立たなくなり、錠全体のデザイン性や見栄えの低下を防止することができる。
【発明を実施するための最良の形態】
【００２１】
以下、本発明に係る錠台座穴の隙間隠し構造の好適な実施の形態を図面を参照して詳細に説明する。
図１は本発明に係る錠台座穴の隙間隠し構造が採用された扉の斜視図、図２は図１に示した操作部材の縦断面図である。
本実施の形態による錠台座穴の隙間隠し構造は、扉１１の屋外面１１ａに取り付けられるプッシュプル錠を備えるグリップハンドル１３に採用される例として説明する。
【００２２】
扉１１の上下方向には一対のシリンダ錠１５，１７が設けられている。それぞれのシリンダ錠１５，１７は、扉１１に内蔵された上下一対の錠箱１９，２１に基端が固定され、屋外面１１ａから先端側が突出している。
【００２３】
長尺に形成されたレバーハンドル状の操作部材としてのハンドル２３の長手方向両端は、一対の台座２５，２７に可動自在に支持されている。本実施の形態では、扉１１が外開きである場合を例に説明する。そのため、図に示すハンドル２３は、引っ張り方向に可動自在となる。
【００２４】
上下それぞれの錠箱１９，２１にはデッドボルト２９，３１がフロント板３３，３５から進退自在に設けられている。このデッドボルトは、屋外面１１ａから突出した一対のシリンダ錠１５，１７がそれぞれ施解錠操作されることで、それぞれの錠箱１９，２１から進退する。
【００２５】
また、本実施の形態では、上側の錠箱１９に、ラッチボルト３７が進退自在に設けられている。図２に示すように、上側の台座２５の裏面からはラッチボルト作動片３９が突出し、ラッチボルト作動片３９はハンドル２３が引っ張り方向に操作されることで、上側の錠箱１９内のラッチボルト進退機構を作動させて、ラッチボルト３７を錠箱１９内へ後退させる。
【００２６】
なお、図２中、４１は台座２５，２７から突設された雌ネジボスを表し、この雌ネジボスは室内側から取り付けられた不図示の台座に挿通されるビスと螺合する。つまり、扉１１は、屋外側と屋内側との双方から取り付けられるグリップハンドルによって挟持されることとなる。
【００２７】
本実施の形態による錠台座穴の隙間隠し構造は、下側のシリンダ錠１７に採用される場合を例に説明するが、本発明に係る錠台座穴の隙間隠し構造は、上側のシリンダ錠１５のみ、或いは上下双方のシリンダ錠１５，１７に採用されても良い。
【００２８】
図３は図２に示した台座貫通穴部の縦断面図、図４はコア部材と押さえ板との分解斜視図である。
台座２７にはシリンダ錠１７を貫通させる貫通穴４３が設けられている。この貫通穴４３は台座表面側の小径穴４３ａと台座裏面側の大径穴４３ｂとが同軸に形成され、またこの貫通穴４３の軸線方向中途には、この貫通穴４３の軸線に略直交する面となるリング状の段部４３ｃが形成されてなる。台座２７の大径穴４３ｂ内にはコア部材４５が収容される。図４に示すように、コア部材４５は筒状に形成されて内径部４５ａがシリンダ錠１７の外周に嵌合されるとともに、外径部４５ｂが貫通穴４３の小径穴４３ａより大きく且つ貫通穴４３の大径穴４３ｂより小さく形成される。
【００２９】
図５は小内径のコア部材の平面視・断面視を（ａ）（ｂ）その押さえ板の平面視・側面視を（ｃ）（ｄ）で表した部品説明図、図６は大内径のコア部材の平面視・断面視を（ａ）（ｂ）その押さえ板の平面視・側面視を（ｃ）（ｄ）で表した部品説明図である。
図４に示すように、コア部材４５の直径方向両端となるそれぞれの外周部には可撓性を有しコア部材４５の軸線を中心とした螺旋方向に延びる一対の弧状片４７，４７が延出されている。台座２７の裏面には押さえ板４９がビス５１によって固定され、押さえ板４９は大径穴４３ｂからのコア部材４５の脱落を規制する。
【００３０】
一対の弧状片４７，４７の先端には係合突起５３が突設され、係合突起５３は押さえ板４９に穿設された係合穴５５に係合する。コア部材４５は、弧状片４７，４７の係合突起５３を、押さえ板４９の係合穴５５に係合させることで、弧状片４７，４７を介して押さえ板４９に半径方向へ変位可能に支持される。
【００３１】
本実施の形態において、コア部材４５は、ジュラコン等の合成樹脂材料によって一体成形で製造される。コア部材４５は、シリンダ錠１７の外周に嵌合する内筒部５７と、この内筒部５７に間隙５９を有して同軸に形成された外筒部６１とを有する。内筒部５７と外筒部６１とは、軸線方向一端側に形成される端面としての接続端面６３によって接続される。この接続端面６３は、貫通穴４３の段部４３ｃに当接する。また、弧状片４７，４７は、この外筒部６１の外周から延出されている。
【００３２】
一方、押さえ板４９は、略菱形形状に形成され、中央部に、シリンダ錠１７を貫通させるための穴６５が穿設される。穴６５の左右には、係合穴５５，５５、ビス５１の挿通穴６７，６７が穿設されている。
【００３３】
コア部材４５は、台座２７の厚み、或いはシリンダ錠１７の突出長さ・外径により、図５に示すように、内径Ｄ１が小さく、高さＨ１が高い形状の他、図６に示すように、内径Ｄ２が大きく、高さＨ２が低い形状等の異なる台座・シリンダ錠に対応したバリエーションのコア部材４５Ａ、押さえ板４９Ａで形成される。
【００３４】
また、コア部材４５は、台座２７及びシリンダ錠１７より彩度の低い色合いで形成されることが好ましい。コア部材４５がこのように彩度の低い色合い、例えばグレーなどで形成されることで、貫通穴４３とシリンダ錠１７との隙間に露出するコア部材４５の接続端面６３が、目立たなくなり、錠全体のデザイン性や見栄えの低下を防止することができる。
なお、コア部材４５は、台座２７或いはシリンダ錠１７と同一の色・彩度で形成されてもよい。その場合、隙間に露出するコア部材４５の接続端面６３は台座２７或いはシリンダ錠１７と連続した面のように見れる。
【００３５】
図７は組み付け状況を表す台座の一部分を切り欠いた要部拡大側面図である。
上記のように構成された錠台座穴の隙間隠し構造では、図７に示すように、錠箱２１に基端が固定されたシリンダ錠１７が扉１１の屋外面１１ａから突出している状態で、グリップハンドル１３の台座２７が裏面側からシリンダ錠１７へと挿入される。この際、台座２７の大径穴４３ｂにはコア部材４５が、押さえ板４９によって脱落が規制されて収容されている。
【００３６】
この状態で、コア部材４５の内筒部５７は、弧状片４７，４７により支持されているため、大径穴４３ｂの中心軸に対して任意の直交方向に変位可能となっている。したがって、上側の錠箱１９から突出したシリンダ錠１５の中心軸を、上側の台座２５の貫通穴４３の中心軸に一致させて取り付けた場合、仮に位置ずれが生じていると、下側のシリンダ錠１７の中心軸に対し、下側の台座２７の貫通穴４３の中心軸がずれることとなる。
【００３７】
このように、貫通穴４３の中心軸と、シリンダ錠１７の中心軸とが偏芯している場合においても、一対の弧状片４７，４７が弾性変形することとなる。したがって、扉１１と錠箱２１、扉１１と台座２７との組み付け誤差等により、シリンダ錠１７と台座貫通穴４３との相対位置にずれが生じ、台座貫通穴４３にシリンダ錠１７が偏芯して配置されることで、貫通穴４３とシリンダ錠１７との間に歪な環状隙間が形成されても、シリンダ錠１７に外嵌されたコア部材４５の軸線方向一端の接続端面６３がこの歪な環状隙間を塞ぐこととなる。
【００３８】
したがって、本実施の形態による錠台座穴の隙間隠し構造によれば、扉の開閉操作に用いるハンドル２３を可動自在に支持するとともに扉屋外面１１ａから突出したシリンダ錠１７を貫通させて扉屋外面１１ａに取付け固定される台座２７を備え、シリンダ錠１７を貫通させる台座２７の貫通穴４３は、台座表面側の小径穴４３ａと台座裏面側の大径穴４３ｂとが同軸に形成されてなり、筒状に形成されて内径部４５ａがシリンダ錠１７の外周に嵌合されるとともに、外径部（外筒部６１）が小径穴４３ａより大きく且つ大径穴４３ｂより小さいコア部材４５を大径穴４３ｂ内に収容したので、扉１１と錠箱２１、扉１１と台座２７との組み付け誤差等により、シリンダ錠１７と台座貫通穴４３との相対位置にずれが生じ、台座貫通穴４３にシリンダ錠１７が偏芯して配置されることで、貫通穴４３とシリンダ錠１７との間に歪な環状隙間が形成されても、シリンダ錠１７に外嵌されたコア部材４５の軸線方向一端の接続端面６３がこの歪な環状隙間を塞ぐこととなり、偏芯により円周の一部分で大きくなった間隙を通過する隙間風を確実に防止することができる。
【００３９】
また、一対のシリンダ錠１５，１７の双方に生じている貫通穴４３とシリンダ錠１５，１７との歪な環状隙間を、一方のシリンダ錠１７の側に片寄せて、当該一方のシリンダ錠１７の外周に生じている歪な環状隙間を、コア部材４５によって塞ぐことができる。すなわち、他方のシリンダ錠１５と貫通穴４３とを同軸に配置することで、位置ずれ誤差を一方のシリンダ錠１７と貫通穴４３との位置ずれとして集中させることができる。そして、この集中した位置ずれ誤差がコア部材４５によって塞がれることとなる。
【００４０】
また、コア部材４５の直径方向両端となるそれぞれの外周部には可撓性を有しコア部材４５の軸線を中心とした螺旋方向に延びる一対の弧状片４７，４７が延出されたので、貫通穴４３の中心軸と、シリンダ錠１７の中心軸とが偏芯している場合においても、一対の弧状片４７，４７が弾性変形することとなる。これにより、シリンダ錠１７に外挿する前の弧状片４７，４７を貫通穴４３と同軸に保持することができ、外挿前の大径穴４３ｂ内でのコア部材４５のガタツキを防止して、台座２７の組み付け性を良好にすることができる。
【００４１】
さらに、大径穴４３ｂ内からのコア部材４５の脱落を規制する押さえ板４９が台座２７の裏面に取付け固定され、一対の弧状片４７，４７の先端がこの押さえ板４９に係合することでコア部材４５が、弧状片４７，４７を介して押さえ板４９に半径方向へ変位可能に支持されるので、コア部材４５の回転を規制し、ガタツキを防止することができる。また、弧状片４７，４７の先端を大径穴４３ｂの内周に当接して支持する場合に比べ、弧状片４７，４７の延出長を短くでき、コア部材４５を小形に形成することができる。
【００４２】
なお、上述した実施の形態では、プッシュプル錠を備えるグリップハンドルの例で説明したが、扉に対するシリンダ錠と錠ケースとの組み付け、例えばシリンダ錠を含む錠機構部が予め扉側に固定され、それに対してノブやレバーハンドルなどの操作部材を備える錠ケースをシリンダ錠を貫通させて扉側に取付け固定するような構造など、その他の構造に対しても同様の効果を得られるものである。
【図面の簡単な説明】
【００４３】
【図１】本発明に係る錠台座穴の隙間隠し構造が採用された扉の斜視図である。
【図２】図１に示した操作部材の縦断面図である。
【図３】図２に示した台座貫通穴部の縦断面図である。
【図４】コア部材と押さえ板との分解斜視図である。
【図５】小内径のコア部材の平面視・断面視を（ａ）（ｂ）その押さえ板の平面視・側面視を（ｃ）（ｄ）で表した部品説明図である。
【図６】大内径のコア部材の平面視・断面視を（ａ）（ｂ）その押さえ板の平面視・側面視を（ｃ）（ｄ）で表した部品説明図である。
【図７】組み付け状況を表す台座の一部分を切り欠いた要部拡大側面図である。
【符号の説明】
【００４４】
１１…扉
１１ａ…扉面（屋外面）
１５，１７…シリンダ錠
１９，２１…錠箱
２３…操作部材（ハンドル）
２５，２７…台座
４３…貫通穴
４３ａ…小径穴
４３ｂ…大径穴
４５…コア部材
４５ａ…内径部
４７…弧状片
４９…押さえ板
６３…端面（接続端面）
【図１】
2008019613.tif 000003
【図２】
2008019613.tif 000004
【図３】
2008019613.tif 000005
【図４】
2008019613.tif 000006
【図５】
2008019613.tif 000007
【図６】
2008019613.tif 000008
【図７】
2008019613.tif 000009